(57)【要約】      （修正有）【課題】ユーザの要求に応じた異なる時間で異なる電力を選択でき、各種暖房機の使用に適合できる暖房機専用電源セレクタを提供する。【解決手段】電源選択機器、インターフェースユニット及び暖房機を含む。該電源選択機器は、分配セレクタ及び無停電電源装置を有し、該分配セレクタは、無停電電源装置内に位置され、該電源選択機器の電力入力選択を制御し、該インターフェースユニットの一端が該電源選択機器に接続され、該暖房機内に電力システムが設けられ、該電力システムがインターフェースユニットの他端に接続される。【選択図】図１
0003148207.tif 000002
【実用新案登録請求の範囲】
【請求項１】
無停電電源装置と、前記無停電電源装置内に位置され、電力入力選択を制御するための分配セレクタとを有する電源選択機器と、
一端が前記電源選択機器に接続されたインターフェースユニットと、
内部に電力システムが設けられ、前記電力システムが前記インターフェースユニットの他端に接続された暖房機と、を含む暖房機専用電源セレクタ。
【請求項２】
前記分配セレクタは、直流電流入力及び交流電流入力を選択するためのものであることを特徴とする請求項１に記載の暖房機専用電源セレクタ。
【請求項３】
前記電力入力は、ソーラー発電、風力発電、水力発電、市電型交流電のうち少なくとも一つの電源入力で電源入力源として分散するように分配して給電することを特徴とする請求項１に記載の暖房機専用電源セレクタ。
【請求項４】
前記インターフェースユニットは、直流電流出力及び交流電流出力を行うためのものであることを特徴とする請求項１に記載の暖房機専用電源セレクタ。
【請求項５】
前記インターフェースユニットはソケットであることを特徴とする請求項１に記載の暖房機専用電源セレクタ。
【請求項６】
前記暖房機は、電力システム、制御手段及び発熱素子を含み、前記電力システムは、前記制御手段及び前記発熱素子に電力を供給し、前記制御手段は、前記発熱素子により電力を熱に変換して暖房を発生させるように、前記発熱素子に接続して制御することを特徴とする請求項１に記載の暖房機専用電源セレクタ。
【請求項７】
前記分配セレクタは、力率改善装置、少なくとも一つのMPPT充電器、及びコンバータを有し、前記MPPT充電器が前記コンバータに接続され、さらに前記力率改善装置に並列に接続されたことを特徴とする請求項１に記載の暖房機専用電源セレクタ。
【請求項８】
前記無停電電源装置は、充電器及びバッテリを含むことを特徴とする請求項１に記載の暖房機専用電源セレクタ。
【考案の詳細な説明】
【技術分野】
【０００１】
本考案は、暖房機専用電源セレクタに係り、特に、電源選択機器、インターフェースユニット及び暖房機の組合設計によって、該電源選択機器の分配セレクタは、暖房機の電力システムに供給するため直流電流及び交流電流を選択して入力でき、多元化の入力電源選択を有し、住宅や、会社、マーケット等の様々な場合の暖房空調機器に適合可能な暖房機専用電源セレクタに関するものである。
【背景技術】
【０００２】
地球温暖化による気候変化効果の影響を受けて、地球各地の温度差の変化が益々大きくなっている。
冬季においては非常に寒くなりつつあり、例えば人々の手足が凍ったり、行動が遅くなったりするため、保温に注意を払わないと体温低下による生命の危険に陥り易いので、暖房機の使用が非常に重要となる。
一般に、従来の暖房機は、冷暖房機や、セラミック電気暖房、ハロゲン電気暖房、または、赤外線暖房等が知られている。
これらの暖房機は何れにあっても、その電力入力として市電型交流電を使用しているが、エネルギーの使用観念の変化に伴い、例えば、水力発電や、風力発電、ソーラー発電、燃焼電池などの様々な代替エネルギーが続々と提案されている。
政府による様々な対応措置及び優遇法案も続々と採られているものの、一般の市電型交流電の電力入力の選択方式は、将来の暖房機市場の要求に対して明らかに満足できるものではない。
【０００３】
本考案は前記した従来の欠点を鑑みて成されたもので、本考案は、関連エネルギー保護政策の優遇時間及び優遇方式の違いに配合でき、ユーザには異なる電力のソースを選択して優遇方式に合せて供給し使用できる暖房機専用電源セレクタを提案するものである。
【考案の開示】
【考案が解決しようとする課題】
【０００４】
本考案の主な目的は、電源選択機器、インターフェースユニット及び暖房機の組合設計によって、該電源選択機器は、入力電源を選択して制御でき、ユーザの要求に応じて異なる時間で異なる電力を分配して入力するように計画し、該暖房機の電力システムに供給し、本考案の実用性を向上できる暖房機専用電源セレクタを提供することにある。
【０００５】
本考案の次の目的は、電源選択機器、インターフェースユニット及び暖房機の組合設計によって、該インターフェースユニットは、異なる暖房機の電力システムに応じてソケットを設計し、該電源選択機器を市場の各メーカの暖房機に合せて使用でき、本考案の便利性を向上できる暖房機専用電源セレクタを提供することにある。
【課題を解決するための手段】
【０００６】
前記した目的を達成するために、本考案は、電源選択機器、インターフェースユニット及び暖房機を含む。該電源選択機器は、分配セレクタ及び無停電電源装置を有し、該分配セレクタは、無停電電源装置内に位置され、該電源選択機器の電力入力選択を制御し、該インターフェースユニットの一端が該電源選択機器に接続され、該暖房機内に電力システムが設けられ、該電力システムがインターフェースユニットの他端に接続されることによって、全体は、ユーザの要求に応じて異なる時間で異なる電力を分配して入力するように計画し、及び市場の各メーカの暖房機の使用に適合可能のようにする。
【考案を実施するための最良の形態】
【０００７】
以下図面を参照しながら本考案の特徴及び具体的な実施例について詳述する。
【０００８】
図１〜図４を参照すると、本考案の暖房機専用電源セレクタは、電源選択機器１０、インターフェースユニット２０及び暖房機３０を含む。
【０００９】
該電源選択機器１０は、分配セレクタ１１及び無停電電源装置１２を有する。
該分配セレクタ１１は、無停電電源装置１２内に位置する。
該電源選択機器１１は、ＤＣ／ＡＣの電力入力を選択できる。
電力入力として、ソーラー発電１３や、風力発電１４、水力発電１５、市電型交流電１６等のうち少なくとも一つで電源入力として分配し、電力を分散して給電できる。
そのうち、分配セレクタ１１は、複数のキャパシター、インダクタンス、力率改善装置(Power Factor Correction)１１１、二つのＭＰＰＴ充電器(ＭＰＰＴ charger)１１２、１１３及びコンバータ(ＤＣ/ＤＣ Converter)１１４からな。
該各ＭＰＰＴ充電器１１２、１１３は、コンバータ１４に接続され、さらに力率改善装置１１１に並列に接続する。
該無停電電源装置１２は、充電器(charger)１２１及びバッテリ(Battery)１２２を含む。
【００１０】
該インターフェースユニット２０はソケットであり、その一端が該電源選択機器１０の無停電電源装置１２に接続され、他端が直流電流及び交流電流を出力するためのものである。
【００１１】
該暖房機３０は、電力システム３１、制御手段３２及び発熱素子３３を含み、暖房機３０の電力システム３１の電力を供給するため、該電力システム３１がインターフェースユニット２０に接続される。
該電力システム３１は該制御手段３２及び発熱素子３３に電力を供給し、該制御手段３２は、該発熱素子３３により電力を熱に変換して暖房を発生させるように、発熱素子３３に接続して制御する。
【００１２】
図１〜図４に示すように、本考案の暖房機専用電源セレクタは、該電源選択機器１０の分配セレクタ１１が、直流電流入力及び交流電流入力を用いる。
該インターフェースユニット２０は暖房機３０の電力システム３１に接続する。
該分配セレクタ１１は、暖房機３０が起動する時に一番目に優先する市電型交流電１６で暖房機３０を起動する。
暖房機３０を運転した後に、或いはユーザの計画的原因（例えば、オフピーク優遇価格、政府補助の代替エネルギー）で、該分配セレクタ１１は、代替エネルギーである二番目に優先するソーラー発電１３で電力を補充する。
なお足りないとは、さらに三番目に優先の風力発電１４で電力を供給する。
或いは、直接的に計画によりある時間や時期、または条件の下で、各電源の優先順次、またはその給電量の割合分配（例えば、同時にソーラー発電１３の直流電流の入力８０％及び市電型交流電１６の入力２０％で電力を分散して給電し、或いは他のいずれかの電力入力の分配の組合せ）に規制して、ユーザにとって最適な効果を達することを特徴とする。
【００１３】
さらに、該分配セレクタ１１は、ユーザの要求に応じてソフトウェア及びハードウェアの機能を介して計画できる。
メイン電源からの電力が停電か否かにはかかわらず、本設計は、二番目の大きなパワー、或いは他の発電機を電力のソースとして探し出すとともに、ユーザの計画条件に応じて各電力の電流量の割合及び使用時間を分配できる。
該インターフェースユニット２０は、異なるタイプの暖房機３０の電力システム３１に応じて異なる接続用ソケットを設計できて、該電源選択機器１０を市場の各メーカの暖房機３０の電力システム３１に合せて使用できる。
【００１４】
前述した具体的な実施例は、単に本考案の特徴や効果を例示するものに過ぎず、本考案の特徴を限定するものではなく、当業者が適宜行なう変換や修飾等も本考案に含まれるべきことは言うまでもないことである。
【図面の簡単な説明】
【００１５】
【図１】本考案の実施例の構造を示すブロック図である。
【図２】本考案の実施例の電源選択機器及びインターフェースユニットの接続を示す図である。
【図３】本考案の実施例の分配セレクタの詳細回路を示す図である。
【図４】本考案の実施例の接続使用図である。
【符号の説明】
【００１６】
１０・・・・・・電源選択機器
１１・・・・・・分配セレクタ
１２・・・・・・無停電電源装置
１３・・・・・・ソーラー発電
１４・・・・・・風力発電
１５・・・・・・水力発電
１６・・・・・・市電型交流電
１１１・・・・・力率改善装置
１１２、１１３・・ＭＰＰＴ充電器
１１４・・・・・コンバータ
１２１・・・・・充電器
１２２・・・・・バッテリ
２０・・・・・・インターフェースユニット
３０・・・・・・暖房機
３１・・・・・・電力システム
３２・・・・・・制御手段
３３・・・・・・発熱素子
【図１】
0003148207.tif 000003
【図２】
0003148207.tif 000004
【図３】
0003148207.tif 000005
【図４】
0003148207.tif 000006